(57)【特許請求の範囲】
【請求項１】
被写体光を撮像して撮像信号を出力する撮像素子と、
前記撮像素子を収容する装置本体と、
前記撮像信号に基づくスルー画像を表示可能な第１表示部と、前記第１表示部が設けられる面の裏面に設けられ、前記第１表示部の表示領域と異なる大きさの表示領域を有し、前記スルー画像を表示可能な第２表示部とを備え、且つ前記装置本体に対して所定方向及び前記所定方向と交差する方向を軸として回動可能な表示部材と、
前記表示部材の前記第１表示部が設けられる面、または前記表示部材の前記第２表示部が設けられる面の何れが、前記装置本体に対向して配置されているかを検出する第１検出部と、
前記第１検出部による検出結果に基づいて、前記撮像素子により静止画像を撮像するか、動画像を撮像するかを制御する制御部と、
を有することを特徴とする撮像装置。
【請求項２】
前記制御部は、
前記第１検出部より前記表示部材の前記第１表示部が設けられる面が前記装置本体に対向して配置されていると検出された場合には、前記第１表示部に前記スルー画像を表示することを禁止し、前記第２表示部に前記スルー画像を表示し、
前記第１検出部により前記表示部材の前記第２表示部が設けられる面が前記装置本体に対向して配置されていると検出された場合には、前記第１表示部に前記スルー画像を表示し、前記第２表示部に前記スルー画像を表示することを禁止することを特徴とする請求項１記載の撮像装置。
【請求項３】
前記表示部材の前記第１表示部が設けられる面が前記装置本体の背面に対して平行な状態であるか否かを検出する第２検出部と、
前記第１表示部及び前記第２表示部の両方に前記スルー画像を表示することを指示する操作部と、を備え、
前記第１検出部は、前記第１表示部および前記第２表示部の両方が前記装置本体に対向して配置されていないことを検出可能であり、
前記制御部は、
前記第１検出部より前記第１表示部および前記第２表示部の両方が前記装置本体に対向して配置されていないと検出され、且つ、
前記第２検出部により前記表示部材の前記第１表示部が設けられる面が前記装置本体の背面に対して平行な状態であると検出され、且つ、
前記操作部による前記指示がなされた場合には、
前記第１表示部及び前記第２表示部に前記スルー画像を表示することを特徴とする請求項１または２記載の撮像装置。
【請求項４】
前記第１表示部には、前記静止画像を撮像する際に前記スルー画像が表示され、
前記第２表示部には、前記動画像を撮像する際に前記スルー画像が表示されることを特徴とする請求項１〜３の何れか一項に記載の撮像装置。
【請求項５】
前記第１表示部には、記録媒体に記録されている静止画像が再生され、
前記第２表示部には、前記記録媒体に記録されている動画像が再生されることを特徴とする請求項１〜４の何れか一項に記載の撮像装置。
【請求項６】
前記表示部材の前記第１表示部が設けられる面には、前記静止画像を撮像または再生する際に操作される操作部材が前記第１表示部の前記表示領域とは独立して設けられ、
前記表示部材の前記第２表示部が設けられる面には、前記第２表示部の表示面に対する接触操作を検出するタッチパネルが設けられていることを特徴とする請求項１〜５の何れか一項に記載の撮像装置。
【発明の詳細な説明】
【技術分野】
【０００１】
本発明は、静止画像及び動画像を撮影可能な撮像装置に関するものである。
【背景技術】
【０００２】
筐体に対して回転可能な回転部の表面及び裏面にタッチパネルを有する液晶表示部を備え、回転部を回転させることにより筐体の正面側に配置された回転部の表面または裏面の液晶表示部がタッチパネルによる操作を受け付け、筐体の背面側に配置された回転部の裏面または表面の液晶表示部がタッチパネルの操作を受け付けない遠隔操作器が提案されている（例えば、特許文献１参照）。また、連結部により回動可能に連結され、折畳み可能な本体部及び蓋体部を有し、蓋体部の折畳み内側面にメイン表示部、折畳み外側面にサブ表示部を備え、携帯電話及びスチルカメラとして使用可能な電子機器が提案されている（例えば、特許文献２参照）。
【先行技術文献】
【特許文献】
【０００３】
【特許文献１】特開２００７−７４５６３号公報
【特許文献２】特開２００４−２７４３０４号公報
【発明の概要】
【発明が解決しようとする課題】
【０００４】
ところで、近年、静止画像及び動画像を撮影可能なデジタルカメラが普及している。このデジタルカメラにおいては、撮像素子から出力される撮像信号に基づくスルー画像等を表示する液晶表示部、及び各種操作部材が背面側に設けられており、液晶表示部の表示領域の縦横比は、一般的な静止画像のアスペクト比である横：縦＝３：２または４：３である。したがって、この液晶表示部にＨＤ動画像を再生表示した場合、動画像のアスペクト比が横：縦＝１６：９であることから、液晶表示部の表示領域の上下部分はマスクされ、小さい表示領域内での再生表示となり観賞が困難な場合があった。
【０００５】
そこで、表示領域の縦横比が横：縦＝１６：９である液晶表示部を採用すると、液晶表示部のサイズが大きくなるため、デジタルカメラの背面側に設けられていた各種操作部材の設置スペースが失われ、静止画像の撮影時におけるフォーカスエリアの設定等の操作性が損なわれる場合があった。
【０００６】
本発明の目的は、静止画像の撮影時における操作性を損なうことなく、ＨＤ動画像の撮影及び再生表示を最適化することができる撮像装置を提供することである。
【課題を解決するための手段】
【０００７】
本発明は以下のような解決手段により上記課題を解決する。
【０００８】
本発明の撮像装置は、被写体光を撮像して撮像信号を出力する撮像素子と、前記撮像素子を収容する装置本体と、前記撮像信号に基づくスルー画像を表示可能な第１表示部と、前記第１表示部が設けられる面の裏面に設けられ、前記第１表示部の表示領域と異なる大きさの表示領域を有し、前記スルー画像を表示可能な第２表示部とを備え、且つ前記装置本体に対して所定方向及び前記所定方向と交差する方向を軸として回動可能な表示部材と、前記表示部材の前記第１表示部が設けられる面、または前記表示部材の前記第２表示部が設けられる面の何れが、前記装置本体に対向して配置されているかを検出する第１検出部と、前記第１検出部による検出結果に基づいて、前記撮像素子により静止画像を撮像するか、動画像を撮像するかを制御する制御部とを有することを特徴とする。
【発明の効果】
【０００９】
本発明の撮像装置によれば、静止画像の撮影時における操作性を損なうことなく、ＨＤ動画像の撮影及び再生表示を最適化することができる。
【図面の簡単な説明】
【００１０】
【図１】実施の形態に係る電子カメラの外観を示す背面斜視図である。
【図２】実施の形態に係る電子カメラの外観を示す背面斜視図である。
【図３】実施の形態に係る電子カメラの外観を示す正面斜視図である。
【図４】実施の形態に係る電子カメラの外観を示す背面斜視図である。
【図５】実施の形態に係る電子カメラの外観を示す正面斜視図である。
【図６】実施の形態に係る電子カメラの外観を示す背面斜視図である。
【図７】実施の形態に係る電子カメラのシステム構成を示すブロック図である。
【発明を実施するための形態】
【００１１】
以下、図面を参照して、本発明の実施の形態に係る撮像装置としての電子カメラについて説明する。図１は、実施の形態に係る電子カメラ２の外観を示す背面斜視図である。なお、以下の説明においては、図１中に示したＸＹＺ直交座標系を用いて説明を行う。図中のＸＹＺ直交座標系は、Ｙ軸及びＺ軸が小ＬＣＤ１４の表示面に対して平行となるよう設定され、Ｘ軸が小ＬＣＤ１４の表示面に対して直交する方向に設定されている。
【００１２】
図１に示すように、電子カメラ２の上面には、静止画像の撮像を指示する際に操作されるレリーズスイッチ４、撮影モードを切り替える際に操作されるモードダイヤル６、後述する小ＬＣＤ（液晶ディスプレー）１４及び大ＬＣＤ２２（図２参照）の両方にライブビュー画像（スルー画像）を表示する際に操作される両面表示ボタン８が設けられている。また、電子カメラ２の背面上部には、撮影される被写体を視認するファインダ１０が設けられており、その下方には、回動部１２ａのＺ方向を軸として回動可能、かつ回動部１２ａのＹ方向を軸として回動可能な表示部材１２が設けられている。
【００１３】
図２及び図３は、図１に示す状態から表示部材１２を回動部１２ａのＺ方向を軸として時計まわりに１８０度回動させた場合における電子カメラ２の外観を示す図であり、図２は背面斜視図、図３は正面斜視図である。図１〜図３に示すように、表示部材１２の一方の面（以下、表面という）には、後述する撮像素子２６（図７参照）から出力される撮像信号に基づくライブビュー画像（スルー画像）、後述する記録媒体２８（図７参照）に記録されている静止画像、及び撮影に関する種々の情報等を表示する小ＬＣＤ１４が設けられている。なお、小ＬＣＤ１４の表示領域の縦横比は、横：縦＝４：３または３：２である。また、表示部材１２上であって小ＬＣＤ１４の右側には、静止画像を撮影または再生表示する際に操作される操作部材、例えばメニュー項目等の選択やカーソルを移動させる等のための十字操作キー１６、十字操作キー１６の操作によって選択された項目の決定等の際に押下するＯＫ（決定）ボタン１８、ライブビュー画像を小ＬＣＤ１４に表示させる際に操作されるライブビューボタン２０等が小ＬＣＤ１４の表示領域とは独立して設けられている。
【００１４】
また、表示部材１２の他方の面、即ち小ＬＣＤ１４が設けられる面の裏面（以下、裏面という）には、小ＬＣＤ１４の表示領域と異なる大きさの表示領域を有し、ライブビュー画像、記録媒体２８に記録されている静止画像または動画像、及び撮影に関する種々の情報等を表示する大ＬＣＤ２２が設けられている。なお、大ＬＣＤ２２の表示領域の縦横比は、横：縦＝１６：９である。また、裏面には、大ＬＣＤ２２の表示面に対する接触操作を検出するタッチパネル３２（図７参照）が設けられている。また、図３に示すように、電子カメラ２の正面中央部には、被写体からの光をカメラ内部に導く撮影レンズ２４が装着されている。
【００１５】
図４及び図５は、図２及び図３に示す状態から表示部材１２を回動部１２ａのＹ方向を軸として１８０度回動させた場合における電子カメラ２の外観を示す図であり、図４は背面斜視図、図５は正面斜視図である。また、図６は、図４及び図５に示す状態から表示部材１２を回動部１２ａのＺ方向を軸として反時計まわりに１８０度回動させた場合における電子カメラ２の外観を示す背面斜視図である。
【００１６】
表示部材１２は、図１または図６に示す状態から回動部１２ａのＺ方向を軸として時計まわりに１８０度まで（図２〜図５に示す状態まで）回動可能に構成されている。また、図２または図４に示す状態から回動部１２ａのＹ方向を軸として時計まわり及び反時計まわりの３６０度回動可能に構成されている。そして、表示部材１２は、図１〜図６に示す状態以外では電子カメラ２に対して固定されず、図１〜図６に示す状態では電子カメラ２に対して固定される。
【００１７】
図７は、実施の形態に係る電子カメラ２のシステム構成を示すブロック図である。図７に示すように、電子カメラ２は、マイクロプロセッサ等により構成され、電子カメラ２の各部を統括的に制御する制御部２５を備えており、制御部２５には、撮像素子２６、記録媒体２８、レリーズスイッチ４、モードダイヤル６、両面表示ボタン８、十字操作キー１６、ＯＫ（決定）ボタン１８、ライブビューボタン２０、タッチパネルＩ／Ｆ３０、大ＬＣＤ２２、小ＬＣＤ１４、第１検出部３４、及び第２検出部３６が接続されている。
【００１８】
撮像素子２６は、ＣＣＤまたはＣＭＯＳ等により構成され、撮影レンズ２４を介した被写体光を撮像して撮像信号を制御部２５に対して出力する。制御部２５は、撮像素子２６からの撮像信号からをアナログ信号からデジタル信号に変換し、デジタル信号から画像データを生成し、画像データに対して各種の画像処理（ホワイトバランス調正、色補正、階調補正等）を行い、画像処理された画像データを撮像日時、露出等の撮像に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、記録媒体２８に記録する。
【００１９】
記録媒体２８は、電子カメラ２に設けられたカードスロット（図示せず）に着脱可能に装着される可搬性を有する記録媒体であり、例えば、ＣＦカード、ＳＤカード、スマートメディア等が用いられる。記録媒体２８には、静止画像及び動画像、静止画像や動画像に付加されている撮像に関する情報等が記録されている。タッチパネルＩ／Ｆ（タッチパネルインターフェース）３０には、大ＬＣＤ２２の表示面上に設けられているタッチパネル３２が接続されている。制御部２５は、タッチパネル３２上に例えばユーザーの指、ペン等で接触することによる接触操作を、タッチパネルＩ／Ｆ３０を介して認識し、認識結果に基づいた処理を行う。
【００２０】
第１検出部３４は、表示部材１２の表面及び裏面に設けられた突起部（図示せず）の押し込み量を検出し、検出結果を制御部２５に対して出力する。制御部２５は、検出結果に基づいて、表示部材１２の表面または裏面の何れが電子カメラ２の背面に対向して配置されているか否かを判別する。具体的には、表示部材１２の表面に設けられた突起部（以下、表面突起部という）の押し込み量が裏面に設けられた突起部（以下、裏面突起部という）の押し込み量より大きい場合には、制御部２５は、図６に示すように、表示部材１２の表面が電子カメラ２の背面に対向して配置されていると判別する。即ち、ユーザーが表示部材１２の裏面（大ＬＣＤ２２）を視認可能であると判別する。
【００２１】
一方、表面突起部の押し込み量が裏面突起部の押し込み量より小さい場合には、制御部２５は、図１に示すように、表示部材１２の裏面が電子カメラ２の背面に対向して配置されていると判別する。即ち、ユーザーが表示部材１２の表面（小ＬＣＤ１４の表示面）を視認可能であると判別する。また、表面突起部及び裏面突起部の両方が押し込まれていない場合、即ち押し込み量が０の場合には、制御部２５は、表示部材１２の表面及び裏面の両方が電子カメラ２の背面に対向して配置されていないと判別する。
【００２２】
第２検出部３６は、表示部材１２の表面が電子カメラ２の背面に対して平行な状態であるか否か、即ち表示部材１２が図２〜図５に示す状態であるか否かを検出し、検出結果を制御部２５に対して出力する。制御部２５は、第２検出部３６の検出結果に基づいて、表示部材１２が図２（図３）に示す状態であるか、図４（図５）に示す状態であるか、または図２〜図５に示す状態でないかを判別する。即ち、大ＬＣＤ２２の表示面が電子カメラ２の背面側に向いており平行であるか、小ＬＣＤ１４が電子カメラ２の背面側に向いており平行であるか、またはどちらでもないかを判別する。
【００２３】
この実施の形態では、制御部２５は、第１検出部３４の検出結果から、表示部材１２の裏面、即ち大ＬＣＤ２２の表示面が電子カメラ２の背面に対向して配置されていると判別した場合（図１に示す状態の場合）には、静止画像を撮影するための静止画像撮影モードに設定する。そして、ユーザーが視認可能な小ＬＣＤ１４の表示面に画像を表示させるための点灯を行い、ユーザーが視認不可能な大ＬＣＤ２２の表示面に画像を表示させるための点灯を行わない。小ＬＣＤ１４の表示面には、スルー画像が表示される。即ち、小ＬＣＤ１４の表示面にスルー画像を表示し、大ＬＣＤ２２の表示面にスルー画像を表示することを禁止する処理を行う。
【００２４】
一方、制御部２５は、第１検出部３４の検出結果から、表示部材１２の表面、即ち小ＬＣＤ１４の表示面が電子カメラ２の背面に対向して配置されていると判別した場合（図６に示す状態）には、動画像を撮影するための動画像撮影モードに設定する。そして、ユーザーが視認可能な大ＬＣＤ２２の表示面に画像を表示させるための点灯を行い、ユーザーが視認不可能な小ＬＣＤ１４の表示面に画像を表示させるための点灯を行わない。大ＬＣＤ２２の表示面には、スルー画像が表示される。即ち、大ＬＣＤ２２の表示面にスルー画像を表示し、小ＬＣＤ１４の表示面にスルー画像を表示することを禁止する処理を行う。このように、視認不可能なＬＣＤに画像を表示させないことにより電力消費を低減させることができる。
【００２５】
また、表示部材１２を図１に示す位置から、どの位置（例えば、図２及び図４に示す位置等）に回動させて配置させた場合においても、図６に示す位置に配置させない限り、静止画像撮影モードは維持される。同様に、表示部材１２を図６に示す位置から、どの位置（例えば、図２及び図４に示す位置等）に回動させて配置させた場合においても、図１に示す位置に配置させない限り、動画像撮影モードは維持される。
【００２６】
また、表示部材１２を図１に示す位置から図２に示す位置に配置させた場合、小ＬＣＤ１４の表示面にスルー画像が表示された状態、及び大ＬＣＤ２２の表示面に画像が表示されない状態が維持される。したがって、ユーザーが位置している方向の静止画像の撮影（自分撮り）を、小ＬＣＤ１４の表示面に表示されるスルー画像を確認しながら容易に行うことができる。同様に、表示部材１２を図６に示す位置から図４に示す位置に配置させた場合、大ＬＣＤ２２の表示面にスルー画像が表示された状態、及び小ＬＣＤ１４の表示面に画像が表示されない状態が維持される。したがって、ユーザーが位置している方向の動画像の撮影（自分撮り）を、大ＬＣＤ２２の表示面に表示されるスルー画像を確認しながら容易に行うことができる。
【００２７】
また、表示部材１２を図１に示す位置から図２に示す位置を介して図４に示す位置に配置させた場合、小ＬＣＤ１４の表示面にスルー画像が表示された状態、及び大ＬＣＤ２２の表示面に画像が表示されない状態が維持される。なお、制御部２５は、小ＬＣＤ１４の表示面に表示されるスルー画像の上下方向を、表示部材１２が図１に示す位置にある場合と図４に示す位置にある場合とで逆転させる処理を行う。同様に、表示部材１２を図６に示す位置から図４に示す位置を介して図２に示す位置に配置させた場合、大ＬＣＤ２２の表示面にスルー画像が表示された状態、及び小ＬＣＤ１４の表示面に画像が表示されない状態が維持される。この場合においても、制御部２５は、大ＬＣＤ２２の表示面に表示されるスルー画像の上下方向を、表示部材１２が図６に示す位置にある場合と図２に示す位置にある場合とで逆転させる処理を行う。
【００２８】
次に、この実施の形態に係る電子カメラ２において、両面表示ボタン８が押下された際の処理について説明する。
【００２９】
まず、制御部２５は、両面表示ボタン８がユーザーにより押下されると、第１検出部３４からの検出結果を取得し、表示部材１２の表面または裏面が電子カメラ２の背面に配置されているか否かを判別する。表示部材１２の表面または裏面が電子カメラ２の背面に配置されていないと判別された場合には、制御部２５は、第２検出部３６からの検出結果を取得し、小ＬＣＤ１４の表示面が電子カメラ２の背面に対して平行であるか否かを判別する。小ＬＣＤ１４の表示面が電子カメラ２の背面に対して平行であると判別された場合には、制御部２５は、ユーザーによる操作指示に従い、小ＬＣＤ１４及び大ＬＣＤ２２にスルー画像を表示する。両面表示を行うことにより、被写体となっている人も被写体側に向いているＬＣＤに表示されているスルー画像を確認することができる。
【００３０】
一方、表示部材１２の表面または裏面が電子カメラ２の背面に配置されていると判別された場合、または小ＬＣＤ１４の表示面が電子カメラ２の背面に対して平行でないと判別された場合には、制御部２５は、小ＬＣＤ１４及び大ＬＣＤ２２の両面にスルー画像を表示する必要がないと判断し、ユーザーによる操作指示に対する処理を行わない。即ち、被写体となっている人が視認することができない位置に小ＬＣＤ１４及び大ＬＣＤ２２の表示面が位置している場合には、制御部２５は、電力消費を抑制するために、両面表示を行わない。
【００３１】
なお、両面表示、即ち小ＬＣＤ１４及び大ＬＣＤ２２にスルー画像が表示されている場合において、小ＬＣＤ１４の表示面がローアングル撮影（地面近くの撮影）やハイアングル撮影（高い位置からの撮影）とみなされる角度、例えば地面に対して水平（ＸＹ平面）に近い状態やＸＹ平面に対して±４５度以内となる位置に表示部材２２が傾けられると、その位置に傾けられるまで被写体側に向いていたＬＣＤへの表示を禁止する。
【００３２】
また、この実施の形態に係る電子カメラ２において、記録媒体２８に記録されている静止画像は、アスペクト比が４：３または３：２であるため、小ＬＣＤ１４及び大ＬＣＤ２２に再生表示可能である。一方、記録媒体２８に記録されている動画像は、アスペクト比が１６：９であるため、表示部材２２を図２または図６に示す位置に配置させて、大ＬＣＤ２２に再生表示する。また、表示部材２２が図１または図４に示す位置に配置され、小ＬＣＤ１４にスルー画像または記録媒体２８に記録されている静止画像が表示されている場合には、主に小ＬＣＤ１４の右側の操作部材（十字操作キー１６やＯＫ（決定）ボタン１８等）を用いて、撮影または再生する際の操作を行う。一方、表示部材２２が図６または図２に示す位置に配置され、大ＬＣＤ２２にスルー画像または記録媒体２８に記録されている動画像（または静止画像）が表示されている場合には、主にタッチパネル３２を用いて撮影または再生する際の操作を行う。
【００３３】
この実施の形態に係る電子カメラ２によれば、回動部１２ａのＺ方向及びＹ方向を軸として回動可能な表示部材２２を備え、表示部材２２は表示領域の縦横比の異なる２つのＬＣＤ（小ＬＣＤ１４及び大ＬＣＤ２２）を備えている。したがって、アスペクト比である横：縦＝３：２または４：３である静止画像の撮影や再生を、小ＬＣＤ１４で行うことができる。また、撮影時におけるフォーカスエリアの設定等、小ＬＣＤ１４に表示されているスルー画像を見ながら行う操作を、小ＬＣＤ１４の右側に設けられている操作部材により行うことができる。なお、静止画像の撮影時及び再生時に行われる操作は、操作に対する制御部２５のレスポンスの速度、操作の確実性等の理由により、タッチパネルより操作部材を用いて行う方がよい。したがって、静止画像の表示及び操作を良好に行うことができる。また、アスペクト比である横：縦＝１６：９である動画像の撮影や再生を、大ＬＣＤ２２で行うことができる。また、大ＬＣＤ２２に表示されているスルー画像を見ながら行う撮影時の操作を、タッチパネルにより行うことができる。したがって、動画像の表示及び操作も良好に行うことができる。即ち、この実施の形態に係る電子カメラ２によれば、静止画像の撮影時における操作性を損なうことなく、動画像の撮影及び再生表示を最適化することができる。
【符号の説明】
【００３４】
２…電子カメラ、４…レリーズスイッチ、６…モードダイヤル、８…両面表示ボタン、１２…表示部材、１４…小ＬＣＤ、１６…十字操作キー、１８…ＯＫ（決定）ボタン、２０…ライブビューボタン、２２…大ＬＣＤ、２５…制御部、２６…撮像素子、２８…記録媒体、３０…タッチパネルＩ／Ｆ、３２…タッチパネル、３４…第１検出部、３６…第２検出部。
【図１】
0005444924.tif 000002
【図２】
0005444924.tif 000003
【図３】
0005444924.tif 000004
【図４】
0005444924.tif 000005
【図５】
0005444924.tif 000006
【図６】
0005444924.tif 000007
【図７】
0005444924.tif 000008